(57)【要約】【課題】  ファクシミリを受信したユーザが、送信方式、通信網、及び、受信方式の少なくとも１つを知ることができる技術を提供する。【解決手段】  ファクシミリ装置は、複数の通信方式によってファクシミリ通信を行う通信部と、宛先への呼び出し方法から送信方式を判別する送信方式判別部と、該送信方式判別部によって判別された送信方式を表わすマークのビットマップイメージのデータを送信画像に付加する印字マーク付加部と、を有する。更に、発信側からの呼び出し信号から受信方式を判別する受信方式判別部と、該受信方式判別部によって判別された受信方式を表わすマークのビットマップイメージのデータを受信画像に付加する印字マーク付加部と、受信画像を印字するプリンタ部とを有する。【選択図】図１
2007036727.tif 000002
【特許請求の範囲】
【請求項１】
複数の通信方式によってファクシミリ通信を行う通信部と、宛先への呼び出し方法から送信方式を判別する送信方式判別部と、該送信方式判別部によって判別された送信方式を表わすマークのビットマップイメージのデータを送信画像に付加する印字マーク付加部と、を有するファクシミリ装置。
【請求項２】
請求項１記載のファクシミリ装置において、上記印字マーク付加部は、上記送信方式を表わすマークのビットマップイメージのデータを上記送信画像の所定の位置に付加することを特徴とするファクシミリ装置。
【請求項３】
請求項１記載のファクシミリ装置において、送信方式と該送信方式を表わすマークの対応関係を記載したテーブルを記憶する記憶部が設けられていることを特徴とするファクシミリ装置。
【請求項４】
請求項３記載のファクシミリ装置において、上記記憶部は、上記送信方式を表わすマークを印字する位置を記憶することを特徴とするファクシミリ装置。
【請求項５】
請求項１記載のファクシミリ装置において、宛先への呼び出し方法から通信網を判別する通信網判別部を有し、上記印字マーク付加部は、上記通信網判別部によって判別された通信網を表わすマークのビットマップイメージのデータを送信画像に付加することを特徴とするファクシミリ装置。
【請求項６】
請求項５記載のファクシミリ装置において、上記印字マーク付加部は、上記通信網を表わすマークのビットマップイメージのデータを上記送信画像の所定の位置に付加することを特徴とするファクシミリ装置。
【請求項７】
請求項５記載のファクシミリ装置において、通信網と該通信網を表わすマークの対応関係を記載したテーブルを記憶する記憶部が設けられていることを特徴とするファクシミリ装置。
【請求項８】
請求項７記載のファクシミリ装置において、上記記憶部は、上記通信網を表わすマークを印字する位置を記憶することを特徴とするファクシミリ装置。
【請求項９】
請求項１記載のファクシミリ装置において、上記印字マーク付加部は、送信側の番号非通知サービスを利用する場合には、上記送信方式を表わすマークのビットマップイメージのデータを送信画像に付加しないことを特徴とするファクシミリ装置。
【請求項１０】
請求項５記載のファクシミリ装置において、上記印字マーク付加部は、送信側の番号非通知サービスを利用する場合には、上記通信網を表わすマークのビットマップイメージのデータを送信画像に付加しないことを特徴とするファクシミリ装置。
【請求項１１】
複数の通信方式によってファクシミリ通信を行う通信部と、発信側からの呼び出し信号から受信方式を判別する受信方式判別部と、該受信方式判別部によって判別された受信方式を表わすマークのビットマップイメージのデータを受信画像に付加する印字マーク付加部と、受信画像を印字するプリンタ部とを有するファクシミリ装置。
【請求項１２】
請求項１１記載のファクシミリ装置において、上記印字マーク付加部は、上記受信方式を表わすマークのビットマップイメージのデータを上記受信画像の所定の位置に付加することを特徴とするファクシミリ装置。
【請求項１３】
請求項１１記載のファクシミリ装置において、受信方式と該受信方式を表わすマークの対応関係を記載したテーブルを記憶する記憶部が設けられていることを特徴とするファクシミリ装置。
【請求項１４】
請求項１３記載のファクシミリ装置において、上記記憶部は、上記受信方式を表わすマークを印字する位置を記憶することを特徴とするファクシミリ装置。
【発明の詳細な説明】
【技術分野】
【０００１】
本発明は、ファクシミリ装置に関し、特に、複数の通信方式を備えた家庭用のファクシミリ装置に関する。
【背景技術】
【０００２】
従来のファクシミリ装置は、公衆電話交換回線網（Public Switched Telephone Networks：ＰＳＴＮ）にアナログモデムを介して相互の通信を行うＧ３方式が主体であったが、近年ＩＰ（Internet Protocol）網経由でファクシミリ通信を行うための規格である、ＩＴＵ−Ｔ勧告Ｔ．３７やＩＴＵ−Ｔ勧告Ｔ．３８に対応した装置が商品化されている。
【０００３】
Ｔ．３７では、画像データをＲＦＣ２３０１に規定されたＴＩＦＦ−Ｆ（Tag Image File Format class F）形式などのメールの添付ファイルとして送受信する。これは、メールサーバを経由し蓄積型の通信を行う一般的な電子メールと同様の技術であり、メール送信にはＳＭＴＰ（Simple Mail Transfer Protocol）、メール受信にはＰＯＰ３（Post Office Protocol Version３）プロトコルを利用し、メールベース型インターネットファックスと呼ばれている。
【０００４】
Ｔ．３８は、画像データをパケット化し、ＩＰネットワーク上でＩＰアドレスやホスト名を持つ相互機器の通信をリアルタイムで行う技術である。これは、呼制御にはＩＴＵ−Ｔ勧告Ｈ．３２３プロトコルを使用し、端末間の通信プロトコルは従来のファクシミリ通信と同様のＩＴＵ−Ｔ勧告Ｔ．３０を用いており、リアルタイム型インターネットファックスと呼ばれている。
【０００５】
またＩＰｖ６（Internet Protocol Version６）への移行に伴い家庭内の全ての端末にもＩＰアドレスが付加される体系が進みつつあり、このような環境下に於いて既存のＧ３方式ＦＡＸ通信をＩＰ網経由で実現する技術として、ＶｏＩＰ（Voice over Internet Protocol）やＦＡＸリレー方式がある。
【０００６】
ＶｏＩＰは、音声をパケット化する技術であり、アナログ変復調されたＦＡＸ信号をみなし音声としてＩＴＵ−Ｔ勧告Ｇ．７１１などの方式により変復調し、ＩＰネットワーク上のパケットデータとしてやりとりする。こうして、既存のＧ３方式ＦＡＸ信号を音声パケットとみなして、ゲートウェイなど装置を介してＩＰ網に接続する。
【０００７】
ＦＡＸリレー方式は、内蔵したアナログモデムにて接続されたＧ３方式ＦＡＸの変復調信号を一旦デジタルデータに変換し、これをＩＰネットワーク上のパケットデータとしてやりとりする。こうして、既存のＧ３方式ＦＡＸ信号をデータパケットとして、ゲートウェイなど装置を介してＩＰ網に接続する。
【特許文献１】特開２００４−２８２４６８号公報
【特許文献２】特開２００４−１１２５１５号公報
【特許文献３】特開２００４−１８７２６２号公報
【発明の開示】
【発明が解決しようとする課題】
【０００８】
ＶｏＩＰやＦＡＸリレー方式の中継装置に接続される既存のＧ３方式ＦＡＸは、相手機とダイレクトに接続された状態とみなして通信を行うため、インフラの異なる通信毎に、それが中継装置を介した通信方式なのかダイレクトの通信方式なのか解らない。
【０００９】
本発明の目的は、ファクシミリを受信したユーザが、送信方式、通信網、及び、受信方式の少なくとも１つを知ることができる技術を提供することである。
【課題を解決するための手段】
【００１０】
本発明によると、ファクシミリ装置は、複数の通信方式によってファクシミリ通信を行う通信部と、宛先への呼び出し方法から送信方式を判別する送信方式判別部と、該送信方式判別部によって判別された送信方式を表わすマークのビットマップイメージのデータを送信画像に付加する印字マーク付加部と、を有する。
【００１１】
本発明によると、ファクシミリ装置は、複数の通信方式によってファクシミリ通信を行う通信部と、発信側からの呼び出し信号から受信方式を判別する受信方式判別部と、該受信方式判別部によって判別された受信方式を表わすマークのビットマップイメージのデータを受信画像に付加する印字マーク付加部と、受信画像を印字するプリンタ部とを有する。
【発明の効果】
【００１２】
本発明によると、ファクシミリを受信したユーザは、送信方式、通信網、及び、受信方式の少なくとも１つを知ることができる。
【発明を実施するための最良の形態】
【００１３】
図１及び図２は、本発明による複数の通信方式および通信網を備えるファクシミリ装置の相互接続と中継装置を示す。
【００１４】
図１（ａ）の形態では、送信側のファクシミリ装置１１１はＧ３方式のアナログ信号（例えば、ＩＴＵ−Ｔ勧告Ｖ．３３／Ｖ．１７  １４．４Ｋｂｐｓ）で通信を行う。送信側のＶｏＩＰルータ１１２は、Ｇ３方式のアナログ信号をサンプリングした後、Ｇ．７１１方式で変調し、送信側のゲートウェイ１１３を介して、ＩＰ網２上に、みなし音声パケットを送信する。
【００１５】
Ｇ．７１１方式で変調した場合の帯域（ヘッダは含まず）は６４Ｋｂｐｓであり、ＩＰ網２上は音声パケットで通信される。
【００１６】
受信側のゲートウェイ２１３は、呼び出された宛先のＩＰアドレス及びホスト名を中継し、受信側のＶｏＩＰルータ２１２へ送る。受信側のＶｏＩＰルータ２１２は、送信側からの接続セッションが確立すると、みなし音声パケットをＧ３方式のアナログ信号へ変換し、受信側のファクシミリ装置２１１との間で、Ｇ３方式の通信を行う。
【００１７】
図１（ｂ）の形態では、送信側のファクシミリ装置１２１はＧ３方式のアナログ信号で通信を行う。送信側のＦＡＸリレールータ１２２は、Ｇ３方式のアナログ信号を復調し、Ｔ．３８方式によるＩＰＦ（Internet Facsimile Protocol）パケットを生成し、送信側のゲートウェイ１２３を介して、ＩＰ網２上に、送信する。
【００１８】
この場合、ＩＰ網上の帯域（ヘッダは含まず）はＴ．３０のトレーニングで決定された通信速度である。
【００１９】
受信側のゲートウェイ２２３は、呼び出された宛先のＩＰアドレス及びホスト名を中継し、受信側のＦＡＸリレールータ２２２へ送る。受信側のＦＡＸリレールータ２２２は、送信側からの接続セッションが確立すると、Ｔ．３８方式によるＩＰＦパケットをＧ３方式のアナログ信号へ変調し、受信側のファクシミリ装置２２１との間で、Ｇ３方式の通信を行う。
【００２０】
図１（ｃ）の形態では、送信側のファクシミリ装置１３１はＧ３方式のアナログ信号で通信を行う。送信側のＦＡＸリレールータ１３２は、Ｇ３方式のアナログ信号を復調し、Ｔ．３８方式によるＩＰＦパケットを生成し、送信側のゲートウェイ１３３を介して、ＩＰ網２上に、送信する。
【００２１】
この場合、ＩＰ網２上の帯域（ヘッダは含まず）はＴ．３０のトレーニングで決定された通信速度である。
【００２２】
受信側のゲートウェイ２３３は、呼び出された宛先のＩＰアドレス及びホスト名を中継し、受信側のブロードバンドルータ２３２へ送る。ブロードバンドルータ２３２は、送信側からの接続セッションが確立すると、ルーティングを行い、受信側のファクシミリ装置２３１との間でＴ．３８方式の通信を行う。
【００２３】
図１（ｄ）の形態では、送信側のファクシミリ装置１４１はＴ．３８方式によるＩＰＦパケット信号で通信を行う。送信側のブロードバンドルータ１４２は、ルーティングを行い、Ｔ．３８方式によるＩＰＦパケットを、送信側のゲートウェイ１４３を介して、ＩＰ網２上に、送信する。
【００２４】
この場合、ＩＰ網２上の帯域（ヘッダは含まず）はＴ．３０のトレーニングで決定された通信速度である。
【００２５】
受信側のゲートウェイ２４３は、呼び出された宛先のＩＰアドレス及びホスト名を中継し、受信側のＦＡＸリレールータ２４２へ送る。受信側のＦＡＸリレールータ２４２は、送信側からの接続セッションが確立すると、Ｔ．３８方式によるＩＰＦパケットをＧ３方式のアナログ信号へ変調し、受信側のファクシミリ装置２４１との間で、Ｇ３方式の通信を行う。
【００２６】
図２（ａ）の形態では、送信側のファクシミリ装置１５１はＴ．３８方式によるＩＰＦパケット信号で通信を行う。送信側のブロードバンドルータ１５２は、ルーティングを行い、Ｔ．３８方式によるＩＰＦパケットを、送信側のゲートウェイ１５３を介して、ＩＰ網２上に、送信する。
この場合、ＩＰ網上の帯域（ヘッダは含まず）はネットワークの伝送能力である。
【００２７】
受信側のゲートウェイ２５３は、呼び出された宛先のＩＰアドレス及びホスト名を中継し、受信側のブロードバンドルータ２５２へ送る。ブロードバンドルータ２５２は、送信側からの接続セッションが確立すると、ルーティングを行い、受信側のファクシミリ装置２５１との間でＴ．３８方式の通信を行う。
【００２８】
図２（ｂ）の形態では、送信側のファクシミリ装置１６１はＴ．３７方式によるメールパケット信号で通信を行う。即ち、一旦送信画像を全て蓄積し、ＴＩＦＦ−Ｆファイル形式の圧縮バイナリデータをＭＩＭＥ（Multipurpose Internet Mail Extension）形式へ変換する。送信側のメールサーバ１６２は、Ｔ．３７方式によるメールパケットを、ＳＭＴＰを使って、送信側のゲートウェイ１６３を介して、ＩＰ網２上に、送信する。
この場合、ＩＰ網２上の帯域（ヘッダは含まず）はネットワークの伝送能力である。
【００２９】
受信側のゲートウェイ２６３は、Ｔ．３７方式によるメールパケットを中継し、受信側のメールサーバ２６２に送る。受信側のメールサーバ２６２は、ＰＯＰ３を用いてメールパケットを受信し、ＭＩＭＥ逆変換およびＴＩＦＦ−Ｆファイル形式の伸張処理を行い、受信側のファクシミリ装置２６１との間でＴ．３７方式の通信を行う。
【００３０】
図２（ｃ）の形態では、送信側のファクシミリ装置１７１と受信側のファクシミリ装置２７１は、ＰＳＴＮ網３上にて、Ｇ３方式のアナログ信号で直接相互の通信を行う。ＰＳＴＮ網３上の帯域はＴ．３０のトレーニングで決定された通信速度である。
【００３１】
上述の例において、図１（ａ）のゲートウェイ１１３、２１３は、Ｇ．７１１方式によるみなし音声パケットを伝送する機能を有するものとする。図１（ｂ）、図１（ｃ）、図１（ｄ）、図２（ａ）、図２（ｂ）のゲートウェイは、Ｔ．３７方式によるメールパケット及びＴ．３８方式によるＩＰＦパケットを伝送する機能を有するものとする。
【００３２】
図１（ａ）、図１（ｂ）、図１（ｃ）、図１（ｄ）、図２（ａ）のゲートウェイは、ゲートキーパにより呼び出された宛先の電話番号からＩＰアドレスやホスト名を授受し、ルータとＩＰ網（ＷＡＮ：広域通信網）間の相互接続を行う機能を有するものとする。
【００３３】
図２（ｂ）のゲートウェイは、ＤＮＳ（Domain Name System）により、呼び出された宛先のメールアドレス・ドメイン名からＩＰアドレスを授受し、メールサーバとＩＰ網（ＷＡＮ：広域通信網）間の相互接続を行う機能を有するものとする。
【００３４】
図１（ａ）、図１（ｂ）、図１（ｃ）、図１（ｄ）、図２（ａ）のルータは、ゲートウェイ接続機能を有し、且つ、呼び出された宛先のＩＰアドレスやホスト名を授受し、接続されたファクシミリ装置との間でＧ３、Ｔ．３８方式による通信を伝送する機能を有するものとする。図２（ｂ）のメールサーバは、ゲートウェイ接続機能を有し、且つ、Ｔ．３７方式による通信の伝送機能を有するものとする。
【００３５】
Ｔ．３８方式では、呼制御として、Ｈ．３２３プロトコルを使用しているが、より簡単なＳＩＰ（Session Initiation Protocol）を使用してもよい。
【００３６】
図３を参照して本発明によるファクシミリ装置１の構造の例を説明する。ファクシミリ装置は、公衆電話交換回線網（ＰＳＴＮ）３に接続する機能を有する公衆電話網接続部１０１、ＩＰ網２等の通信ネットワークに接続する機能を有する通信ネットワーク接続部１０２、ファクシミリ送信方式を判別する送信方式判別部１０３、ファクシミリ受信方式を判別する受信方式判別部１０４、ファクシミリ送信時に使用する通信網を判別する通信網判別部１０５、送信方式、通信網、及び、受信方式と印字マークの関係を記憶する記憶部１０６、送受信情報に印字マークを付加する印字マーク付加部１０７、プリンタ部１０８、及び、スキャナ部１０９を有する。
【００３７】
先ず、本発明によるファクシミリ装置１を使用してファクシミリ送信を行う場合を説明する。スキャナ部１０９の走査によって原画が読み取られて電気信号である画像情報に変換される。送信方式判別部１０３は、宛先への呼び出し方法を検出し、それに基づいて、送信方式を判別する。
【００３８】
通信網判別部１０５は、送信に用いる通信網を判別する。送信方式判別部１０３及び通信網判別部１０５の動作の詳細は、後に、図１２を参照して説明する。
【００３９】
送信方式及び通信網が判ると、それを表わすマークを記憶部１０６から読み出す。印字マーク付加部１０７は、スキャナ部１０９によって生成された画像情報に、送信方式及び通信網を表わすマークのビットマップイメージデータを付加する。例えば、送信方式がＧ３方式である場合は“Ｇ３送信”を表わすマークを、Ｔ．３７方式である場合は“Ｍａｉｌ送信”を表わすマークを、Ｔ．３８方式である場合は“ＩＰ送信”を表わすマークを付加する。また、通信網がインターネット、ＬＡＮ等の通信ネットワークである場合は“ＩＰ網”を表わすマークを、公衆電話交換回線網である場合は、“ＰＳＴＮ網”を表わすマークを付加する。
【００４０】
こうして、送信方式及び通信網を表わすマークのビットマップイメージが付加された画像情報は、公衆電話網接続部１０１又は通信ネットワーク接続部１０２を介して送信される。
【００４１】
宛先のファクシミリ装置では、通常のファクシミリ受信を行う。しかしながら、受信した画像には、原画以外に、送信側のファクシミリ装置によって挿入された送信方式及び通信網を表わすマークが付加されている。従って、ユーザは、記録用紙に印刷された受信画像より、送信方式及び通信網を知ることができる。
【００４２】
次に、本発明によるファクシミリ装置１を使用してファクシミリ受信を行う場合を説明する。受信方式判別部１０４は、発信側からの呼び出し信号を検出すると、それに基づいて、受信方式を判別する。受信方式判別部１０４の動作の詳細は図１３を参照して説明する。
【００４３】
受信方式が判ると、それを表わすマークを記憶部１０６から読み出す。印字マーク付加部１０７は、受信した画像情報に、受信方式を表わすマークのビットマップイメージのデータを付加する。プリンタ部１０８は、受信した画像情報に、受信方式を表わすマークのビットマップイメージを付加して印刷する。ユーザは、記録用紙に印刷された受信画像より、受信方式を知ることができる。
【００４４】
尚、送信側と受信側の双方が、図３に示した本発明によるファクシミリ装置１を使用する場合、受信側のファクシミリ装置が受信した画像には、原画以外に、送信側のファクシミリ装置によって挿入された送信方式及び通信網を表わすマークと、受信側のファクシミリ装置によって挿入された受信方式を表わすマークの３つのマークが印字される。ユーザは、記録用紙に印刷された受信画像より、送信方式、通信網及び受信方式を知ることができる。
【００４５】
図４は、本発明によるファクシミリ装置の具体的な構成を示す図である。ファクシミリ装置１は、ＴＥＬＩ／Ｆ（公衆電話交換回線網インターフェース）１１、ＣＰＵ（中央演算処理装置）１２、ＲＯＭ（リードオンリーメモリ）１３、ＲＡＭ（ランダムアクセスメモリ）１４、ＬＡＮＩ／Ｆ（ローカルエリアネットワークインターフェース）１５、プリンタ１６、スキャナ１７、及び、信号発生器１８を有する。
【００４６】
ＴＥＬ Ｉ／Ｆ１１は、Ｇ３通信用の画像情報をＰＳＴＮ網３に適応するように画像情報の変調および復調処理を行う。ＰＳＴＮ網３に対してダイヤル信号を送出し、入来した呼出信号に応答する。
【００４７】
ＬＡＮ Ｉ／Ｆ１５は、Ｔ．３７/Ｔ．３８通信用の画像情報をネットワークの接続形態であるＥｔｈｅｒｎｅｔ規格で伝送する。１０ＢＡＳＥ−Ｔや１００ＢＡＳＥ−ＴＸなどの規格によって接続された相互端末（メールサーバ、ルータ）間をＴＣＰ/ＩＰプロトコルによってやり取りする。
【００４８】
ＣＰＵ（中央演算処理装置）１２は、ＲＯＭ１３に記憶されたプログラムに従って、Ｇ３、Ｔ．３７、Ｔ．３８方式の送受信を含む装置全体の動作を制御する。ＣＰＵ１２は、ファクシミリ送信において、送信方式及び通信網を判別し、ファクシミリ受信において、受信方式を判別する。ＲＡＭ１４は、記憶部１０６に相当し、図５、図６及び図７のテーブルを記憶する。
【００４９】
信号発生器１８は、ファクシミリ送信に於いて、送信方式及び通信網を表わす印字マークをビットマップイメージに変換する。ＣＰＵ１２は、スキャナ１７の動作を制御し、送信画像情報に印字マークを付加して送信する。
【００５０】
信号発生器１８は、ファクシミリ受信に於いて、受信方式を表わす印字マークをビットマップイメージに変換する。ＣＰＵ１２は、プリンタ１６の動作を制御し、受信画像情報に印字マークを付加して印字する。
【００５１】
図５、図６、及び図７は、記憶部１０６、即ち、ＲＡＭ１４に記憶されているテーブルの例を示す。図５の送信方式テーブルは、送信方式Ｇ３、Ｔ．３７、Ｔ．３８とその識別記号である印字マークＭａ１、Ｍｂ１、Ｍｃ１、及び、印字マークの位置の関係が示されている。本例では、印字マークＭａ１、Ｍｂ１、Ｍｃ１は、それぞれ、Ｇ３送信、Ｍａｉｌ送信、ＩＰ送信を示し、また、印字マークの位置は左である。
【００５２】
図６の通信網テーブルは、通信網ＰＳＴＮ、ＩＰとその識別記号である印字マークＭａ２、Ｍｂ２、及び、印字マークの位置の関係が示されている。本例では、印字マークＭａ２、Ｍｂ２は、それぞれ、ＰＳＴＮ網、ＩＰ網を示し、また、印字マークの位置は中央である。図７の受信方式テーブルは、受信方式Ｇ３、Ｔ．３７、Ｔ．３８とその識別記号である印字マークＭａ３、Ｍｂ３、Ｍｃ３、及び、印字マークの位置の関係が示されている。本例では、印字マークＭａ３、Ｍｂ３、Ｍｃ３は、それぞれ、Ｇ３受信、Ｍａｉｌ受信、ＩＰ受信を示し、また、印字マークの位置は右である。
【００５３】
図８は、送信画像情報の左側に送信方式Ｇ３、Ｔ．３７、Ｔ．３８を示す印字マークＭａ１、Ｍｂ１、Ｍｃ１を挿入して送信した状態を示し、図９は、送信画像情報の中央に通信網ＰＳＴＮ、ＩＰを示す印字マークＭａ２、Ｍｂ２を挿入して送信した状態を示し、図１０は、受信画像情報の右側に、受信方式Ｇ３、Ｔ．３７、Ｔ．３８を示す印字マークＭａ３、Ｍｂ３、Ｍｃ３を挿入して受信した状態を示す。
【００５４】
図１１（ａ）、図１１（ｂ）、図１１（ｃ）、図１１（ｄ）は、図１に示す各送受信形態に対応して、送受信画像情報に挿入された印字マーク及びその位置を示す。図１１（ｅ）、図１１（ｆ）、図１１（ｇ）は、図２に示す各送受信形態に対応して、送受信画像情報に挿入された印字マーク及びその位置を示す。これらの印字マークは、ビットマップイメージとして紙面に印字される。本例によると、受信側のファクシミリ装置によって出力された用紙に、送信方式、通信網、及び、受信方式がビットマップイメージとして印字される。
【００５５】
従って、ユーザは、受信した画像データより、送信方式、通信網、及び、受信方式を、通信毎に視覚的に識別することができる。
【００５６】
図１２は、送信側のファクシミリ装置１が、送信方式および通信網を判別する方法を説明するためのフローチャートである。ステップＳ１にて、宛先への呼び出し方法がＩＰアドレスであるか否かを判別する。宛先への呼び出し方法がＩＰアドレスである場合は、ステップＳ４に進み、宛先への呼び出しＩＰアドレスが“Ｘ．Ｘ．Ｘ．Ｘ”（Ｘは２の８乗の十進数）で表記されるＩＰｖ４形式、又は、“Ｘ：Ｘ：Ｘ：Ｘ：Ｘ：Ｘ：Ｘ：Ｘ”（Ｘは２の１６乗の十六進数）で表記されるＩＰｖ６形式であるか否かを判別する。ＩＰアドレスがＩＰｖ４形式又はＩＰｖ６形式であれば、ステップＳ５に進み、送信方式はＴ．３８方式であると判別し、印字マークをＭｃ１とする。更に、ステップＳ６に進み、通信網はＩＰ網であると判別し、印字マークをＭｂ２とする。
【００５７】
ステップＳ１にて、宛先への呼び出し方法がＩＰアドレスでない場合には、ステップＳ２に進み、宛先への呼び出し方法がメールアドレスか否かを判別する。宛先への呼び出し方法がメールアドレスである場合には、ステップＳ７に進み、宛先への呼び出しメールアドレスが“Ａ＠Ｘ．Ｙ．Ｚ”（Ａは任意のメールアカウント、Ｘ．Ｙ．Ｚは任意のドメイン）である否かを判別する。宛先への呼び出しメールアドレスが“Ａ＠Ｘ．Ｙ．Ｚ”であれば、ステップＳ８に進み、送信方式はＴ．３７方式であると判別し、印字マークをＭｂ１とする。更に、ステップＳ９に進み、通信網はＩＰ網であると判別し、印字マークをＭｂ２とする。宛先への呼び出しメールアドレスが“Ａ＠Ｘ．Ｙ．Ｚ”でなければ、ステップＳ１に戻る。
【００５８】
ステップＳ２にて、宛先への呼び出し方法がメールアドレスでない場合には、ステップＳ３に進み、宛先への呼び出し方法がダイヤル番号であるか否かを判別する。宛先への呼び出し方法がダイヤル番号である場合には、ステップＳ１０に進み、宛先への呼び出しダイヤル番号が“０５０ＸＸＸＸＹＹＹＹ”（先頭３桁がＩＰ電話、通信事業者固有番号が４桁のＸ、加入者番号が４桁のＹ、全１１桁）であるか否かを判別する。宛先への呼び出しダイヤル番号が“０５０ＸＸＸＸＹＹＹＹ”であれば、ステップＳ５に進み、送信方式はＴ．３８方式であると判別し、印字マークをＭｃ１とする。更に、ステップＳ６に進み、通信網はＩＰ網であると判別し、印字マークをＭｂ２とする。
【００５９】
宛先への呼び出しダイヤル番号が “０５０ＸＸＸＸＹＹＹＹ”でなければ、ステップＳ１１に進み、宛先への呼び出しダイヤル番号が“０ＸＸＸＸＸＹＹＹＹ”（先頭が国内プレフィックス、市外局番が１〜５桁のＸ、市内局番が０〜４桁のＸ、市外内局番の合計が５桁のＸ（一部地域は４桁）、加入者番号が４桁のＹ、全１０桁の０ＡＢ〜Ｊ形式）であるか否かを判別する。宛先への呼び出しダイヤル番号が０ＡＢ〜Ｊ形式である場合にはステップＳ１５に進む。ステップＳ１５にて、宛先の受信端末が番号ポータビリティ（ＩＰ電話番号を固定電話と同一番号でサービスするもの）であるか否を判別する。宛先の受信端末が番号ポータビリティである場合には、ステップＳ５に進み、送信方式はＴ．３８方式であると判別し、印字マークをＭｃ１とする。更に、ステップＳ６に進み、通信網はＩＰ網であると判別し、印字マークをＭｂ２とする。
【００６０】
宛先の受信端末が番号ポータビリティでない場合には、ステップＳ１６に進みルータの有無を判別する。ルータがない場合には、ステップＳ１７に進み、送信方式はＧ３方式であると判別し、印字マークをＭａ１とする。更に、ステップＳ１８に進み、通信網はＰＳＴＮ網であると判別し、印字マークをＭａ２とする。ルータがある場合には、ステップＳ１９に進み、送信方式はＧ３方式であると判別し、印字マークをＭａ１とする。更に、ステップＳ２０に進み、通信網はＩＰ網であると判別し、印字マークをＭｂ２とする。
【００６１】
ステップＳ１１にて、宛先への呼び出しダイヤル番号が０ＡＢ〜Ｊ形式でないと判別された場合にはステップＳ１２に進む。ステップＳ１２にて、宛先への呼び出しダイヤル番号の先頭が“００ＸＸ”（通信事業者識別番号が２桁のＸ、合計が４桁）で始まる電話会社選択サービス（００ＸＹ形式、愛称：マイライン）であるか否かを判別する。宛先への呼び出しダイヤル番号が００ＸＹ形式の場合は、ステップＳ１３及びステップＳ１４に進み、ダイヤル番号毎にメモリに予め記憶されている所定の送信方式および通信網により、Ｍ＊１（＊＝ａ，ｂ，ｃ）およびＭ＊２（＊＝ａ，ｂ）の印字マークを選択する。
【００６２】
尚、ダイヤル番号の先頭が“１”で始まる特別なサービス（１８６：番号非通知）の場合は、送信端末の通信方式および通信網を送信画像情報に含めて送信しない。
【００６３】
図１３は、受信側のファクシミリ装置１が、受信方式を判別する方法を説明するためのフローチャートである。ステップＳ１０１にて、１６Ｈｚおよび１３００Ｈｚの呼出信号を受信し、Ｔ．３０方式の通信プロトコルによる受信をしたか否かを判定する。１６Ｈｚおよび１３００Ｈｚの呼出信号を受信し、Ｔ．３０方式の通信プロトコルによる受信をした場合、ステップＳ１０４に進み、受信方式はＧ３であると判別し、印字マークをＭａ３とする。
【００６４】
ステップＳ１０２にて、ＰＯＰ３プロトコルを用いたメールを受信したか否かを判別する。ＰＯＰ３プロトコルを用いたメールを受信した場合、ステップＳ１０５に進み、受信方式はＴ．３７であると判別し、印字マークをＭｂ３とする。
【００６５】
ステップＳ１０３にて、呼制御にＨ．３２３プロトコルを用い、Ｔ．３０方式の通信プロトコルによる受信をしたか否かを判定する。呼制御にＨ．３２３プロトコルを用い、Ｔ．３０方式の通信プロトコルによる受信をした場合、ステップＳ１０６に進み、受信方式はＴ．３８であると判別し、印字マークをＭｃ３とする。
【００６６】
以上、本発明の例を説明したが、本発明は上述の例に限定されるものではなく、特許請求の範囲に記載された発明の範囲にて様々な変更が可能であることは当業者に理解されよう。
【図面の簡単な説明】
【００６７】
【図１】本発明によるファクシミリ装置と中継装置の接続を状態の例を示す図である。
【図２】本発明によるファクシミリ装置と中継装置の接続を状態の例を示す図である。
【図３】本発明によるファクシミリ装置の構成の例を示す図である。
【図４】本発明によるファクシミリ装置の具体的な構造の例を示す図である。
【図５】通信方式と印字マークの関係を示すテーブルの例を示す図である。
【図６】通信網と印字マークの関係を示すテーブルの例を示す図である。
【図７】通信方式と印字マークの関係を示すテーブルの例を示す図である。
【図８】記録用紙に印字マークが印刷されたことを示す図である。
【図９】記録用紙に印字マークが印刷されたことを示す図である。
【図１０】記録用紙に印字マークが印刷されたことを示す図である。
【図１１】図１に示す各送受信形態に対応して送受信画像情報に挿入された印字マーク及びその位置を示す図である。
【図１２】ファクシミリの送信に於いて、送信方式および通信網の判別方法を説明するための流れ図である。
【図１３】ファクシミリの受信に於いて、受信端末の通信方式および通信網の判別方法を説明するための流れ図である。
【符号の説明】
【００６８】
１…ファクシミリ装置、２…ＩＰ網（ＬＡＮ網）、３…ＰＳＴＮ網、１１…ＴＥＬ I/F（公衆電話交換回線網インターフェース）、１２…ＣＰＵ（中央演算処理装置）、１３…ＲＯＭ（リードオンリーメモリ）、１４…ＲＡＭ（ランダムアクセスメモリ）、１５…ＬＡＮ I/F（ローカルエリアネットワークインターフェース）、１６…プリンタ、１７…スキャナ、１８…信号発生器、
１０１…公衆電話網接続部、１０２…通信ネットワーク接続部、１０３…送信方式判別部、１０４…受信方式判別部、１０６…記憶部、１０７…印字マーク付加部、１０８…プリンタ部、１０９…スキャナ部
【図１】
2007036727.tif 000003
【図２】
2007036727.tif 000004
【図３】
2007036727.tif 000005
【図４】
2007036727.tif 000006
【図５】
2007036727.tif 000007
【図６】
2007036727.tif 000008
【図７】
2007036727.tif 000009
【図８】
2007036727.tif 000010
【図９】
2007036727.tif 000011
【図１０】
2007036727.tif 000012
【図１１】
2007036727.tif 000013
【図１２】
2007036727.tif 000014
【図１３】
2007036727.tif 000015